(57)【特許請求の範囲】
【請求項１】
ユニットケース内にダンパが設けられ、該ダンパが前記ユニットケースの側面に回転自在に嵌合支持されているレバーを介して回動可能とされている車両用空調装置において、
前記レバーは、その表裏の回転中心部に設けられ、前記ユニットケース側に設けられている嵌合支持部の軸受ボス部に回転自在に嵌合される表裏一体の嵌合軸部を有し、
前記嵌合軸部は、前記レバーの表面側と裏面側とに各々形成されて同軸上に配列され、且つ、その表面側と裏面側とで、前記軸受ボス部に対する嵌合径が異なり、
前記レバーの表面と裏面とを反転させることにより、表面側の前記嵌合軸部と、裏面側の前記嵌合軸部とを、それぞれ異なる径の前記軸受ボス部に嵌合可能であることを特徴とする車両用空調装置。
【請求項２】
前記レバーの表裏に設けられる前記嵌合軸部の径は、それぞれ右ハンドル車仕様または左ハンドル車仕様の前記ユニットケース側に設けられている前記軸受ボス部の径に対応して設定されていることを特徴とする請求項１に記載の車両用空調装置。
【請求項３】
前記レバーの表裏に設けられる前記嵌合軸部の一方は、右ハンドル車仕様または左ハンドル車仕様の一方の前記ユニットケースに設けられている前記軸受ボス部の内径側に対して嵌合可能とされ、前記嵌合軸部の他方は、他方の前記ユニットケースに設けられている前記軸受ボス部の外径側に対して嵌合可能とされていることを特徴とする請求項１または２に記載の車両用空調装置。
【請求項４】
前記レバーに設けられ、前記ダンパの回転軸に結合されている接続レバーのピンが係合するカム溝が、底壁を有しない貫通カム溝とされていることを特徴とする請求項１ないし３のいずれかに記載の車両用空調装置。
【発明の詳細な説明】
【技術分野】
【０００１】
本発明は、ダンパの回動用レバーを、右ハンドル車仕様のエアコンと左ハンドル車仕様のエアコンとで共用化する車両用空調装置に関するものである。
【背景技術】
【０００２】
車両用空調装置では、外気または車室内空気（内気）を取り入れ、エバポレータ、ヒータおよびエアミックスダンパ等を介して温度調整した後、その空調風を車室内に開口するデフロスタ吹出し口、フェイス吹出し口およびフット吹出し口等の吹出し口のいずれかから選択的に吹出すことにより、車室内を設定温度に空調している。このような車両用空調装置において、ユニット内部には、内外気切替えダンパ、エアミックスダンパ、複数の吹出しモードダンパ等の各種ダンパが、ユニットケースに対して回転自在に支持され、外部から回動されるように設置されている。
【０００３】
これらのダンパは、ユニットケースの側面に回転自在に支持されているレバーを介してマニュアル操作により、あるいはオート制御により、単独であるいは互いに連携して回動されるようになっている。レバーは、例えば特許文献１に示されるように、ユニットケースの側面に貫通穴を設け、該貫通穴に対してレバー（リンクプレート）側に設けられている係合爪を嵌合、係止めすることによってユニットケースに回転自在に嵌合支持され、このレバーを介してダンパが回動される構成とされている。
【０００４】
一方、ダンパを回動するためのレバーが、ユニットケースの側面に回転自在に支持されている車両用空調装置（エアコン）にあって、右ハンドル車仕様のエアコンと左ハンドル車仕様のエアコンでは、レバーの配置が逆になることから、本来は別々にレバーを準備する必要がある。しかし、別々にレバーを準備すると、徒に部品の種類が増加し、金型費が増大してしまうことになる。特許文献２には、ユニットケースの側面に回転自在に設けられるドア駆動用のリンクレバーを表裏対称構造とし、該リンクレバーを右ハンドル車仕様のエアコンと左ハンドル車仕様のエアコンとで共用化したものが開示されている。
【先行技術文献】
【特許文献】
【０００５】
【特許文献１】特許第４４８７４３６号公報
【特許文献２】特許第４５５２１６２号公報
【発明の概要】
【発明が解決しようとする課題】
【０００６】
上記の如く、車両用空調装置では、同じ車種用のものでも、右ハンドル車仕様と左ハンドル車仕様とがあり、各々の間で、特許文献２に示す如く、部品を共用化できるようにすることが望ましい。しかしながら、ダンパ回動用のレバーを共用化した場合、ユニットケースに対してレバーを表裏逆向きに組み付けてしまう虞がある。上記特許文献２には、誤組み立てを防止するため、リンクレバーの色を変える方法が開示されているが、これだけでは、色を間違って認識すると、誤組み立てしてしまうことになり、誤組み立て防止策としては、不十分であった。
【０００７】
本発明は、このような事情に鑑みなされたものであって、ダンパ回動用のレバーを右ハンドル車仕様と左ハンドル車仕様のエアコンとで共用化したものにおいて、その誤組み立てを確実に防止することができる車両用空調装置を提供することを目的とする。
【課題を解決するための手段】
【０００８】
上記した課題を解決するために、本発明の車両用空調装置は、以下の手段を採用する。
すなわち、本発明にかかる車両用空調装置は、ユニットケース内にダンパが設けられ、該ダンパが前記ユニットケースの側面に回転自在に嵌合支持されているレバーを介して回動可能とされている車両用空調装置において、前記レバーは、その表裏の回転中心部に設けられ、前記ユニットケース側に設けられている嵌合支持部の軸受ボス部に回転自在に嵌合される表裏一体の嵌合軸部を有し、前記嵌合軸部は、前記レバーの表面側と裏面側とに各々形成されて同軸上に配列され、且つ、その表面側と裏面側とで、前記軸受ボス部に対する嵌合径が異なり、前記レバーの表面と裏面とを反転させることにより、表面側の前記嵌合軸部と、裏面側の前記嵌合軸部とを、それぞれ異なる径の前記軸受ボス部に嵌合可能であることを特徴とする。
【０００９】
本発明によれば、表裏を逆にして装着可能とされているレバーを右ハンドル車仕様のユニットケースまたは左ハンドル車仕様のユニットケースに対し、表裏を逆にして装着することにより、両仕様のエアコンに対してレバーを共用化することができるとともに、該レバーの表裏の回転中心部に設けられ、ユニットケース側に設けられている嵌合支持部の軸受ボス部に回転自在に嵌合される嵌合軸部の径が、互いに異なる径とされているため、ユニットケースに対するレバーの組み立てに際し、表裏逆向きでの組み立てを、その径の違いにより物理的に阻止することができる。従って、右ハンドル車仕様のエアコンと左ハンドル車仕様のエアコンとにおいて、レバーを共用化し、部品の種類および金型費を削減して生産効率の向上とコスト低減を図ることができるとともに、共用化されるレバーの誤組み立てを確実に防止することができる。
【００１０】
さらに、本発明の車両用空調装置は、上記の車両用空調装置において、前記レバーの表裏に設けられる前記嵌合軸部の径は、それぞれ右ハンドル車仕様または左ハンドル車仕様の前記ユニットケース側に設けられている前記軸受ボス部の径に対応して設定されていることを特徴とする。
【００１１】
本発明によれば、レバーの表裏に設けられる嵌合軸部の径が、それぞれ右ハンドル車仕様または左ハンドル車仕様のユニットケース側に設けられている軸受ボス部の径に対応して設定されているため、レバーを表裏逆向きで組み立てようとしても、嵌合軸部の径と軸受ボス部の径とが合致しないことから、レバーの表裏逆向きでの組み立てを阻止し、レバーを正しく組み立てることができる。従って、レバーを共用化しても、その誤組み立てを確実に防止することができる。
【００１２】
さらに、本発明の車両用空調装置は、上述のいずれかの車両用空調装置において、前記レバーの表裏に設けられる前記嵌合軸部の一方は、右ハンドル車仕様または左ハンドル車仕様の一方の前記ユニットケースに設けられている前記軸受ボス部の内径側に対して嵌合可能とされ、前記嵌合軸部の他方は、他方の前記ユニットケースに設けられている前記軸受ボス部の外径側に対して嵌合可能とされていることを特徴とする。
【００１３】
本発明によれば、レバーの表裏に設けられる嵌合軸部の一方は、右ハンドル車仕様または左ハンドル車仕様の一方のユニットケースに設けられている軸受ボス部の内径側に対して嵌合可能とされ、嵌合軸部の他方は、他方のユニットケースに設けられている軸受ボス部の外径側に対して嵌合可能とされているため、レバーの嵌合軸部をユニットケース側の軸受ボス部に嵌合して組み立てる際、嵌合部分の径の違いだけでなく、嵌合状態の違いによっても、誤組み立てであることを認識することができる。従って、いずれの仕様のユニットケースであっても、レバーを正常に組み立てることができる。
【００１４】
さらに、本発明の車両用空調装置は、上述のいずれかの車両用空調装置において、前記レバーに設けられ、前記ダンパの回転軸に結合されている接続レバーのピンが係合するカム溝が、底壁を有しない貫通カム溝とされていることを特徴とする。
【００１５】
本発明によれば、レバーに設けられ、ダンパの回転軸に結合されている接続レバー側のピンが係合するカム溝が、底壁を有しない貫通カム溝とされているため、表裏を逆にして装着可能とされているレバーを、表裏面のいずれを外側に向けて装着した場合においても、１つのカム溝を共用化することができる。従って、レバーに設けられるカム溝部分を薄くすることによって、その成形を容易化することができる。
【発明の効果】
【００１６】
本発明によると、表裏を逆にして装着可能とされているレバーを右ハンドル車仕様のユニットケースまたは左ハンドル車仕様のユニットケースに対して、表裏を逆にして装着することにより、両仕様のエアコンに対してレバーを共用化することができるとともに、ユニットケースに対するレバーの組み立てに際し、表裏逆向きでの組み立てを、その径の違いにより物理的に阻止することができるため、右ハンドル車仕様のエアコンと左ハンドル車仕様のエアコンとにおいて、レバーを共用化し、部品の種類および金型費を削減して生産効率の向上とコスト低減を図ることができるとともに、共用化されるレバーの誤組み立てを確実に防止することができる。
【図面の簡単な説明】
【００１７】
【図１】本発明の一実施形態に係る車両用空調装置の左ハンドル車仕様の場合の外観斜視図（Ａ）と右ハンドル車仕様の場合の外観斜視図（Ｂ）である。
【図２】図１に示す車両用空調装置のダンパ回動用レバーを左右両側面から見た状態の斜視図（Ａ）および（Ｂ）である。
【図３】図１に示す車両用空調装置のダンパ回動用レバー設置部の左ハンドル車仕様と右ハンドル車仕様の場合に対応した断面図（Ａ）および（Ｂ）である。
【発明を実施するための形態】
【００１８】
以下に、本発明の一実施形態について、図１ないし図３を参照して説明する。
図１には、本発明の一実施形態に係る車両用空調装置の左ハンドル車仕様の場合の外観斜視図（Ａ）と右ハンドル車仕様の場合の外観斜視図（Ｂ）が示されている。
車両用空調装置（エアコン）は、エバポレータ、ヒータ、エアミックスダンパ等が配設されているＨＶＡＣユニット（Ｈｅａｔｉｎｇ  Ｖｅｎｔｉｌａｔｉｏｎ  ａｎｄ  Ａｉｒ  Ｃｏｎｄｉｔｉｏｎｉｎｇ  Ｕｎｉｔ）の上流部位に、空気取入れユニット１とブロアユニットとが設けられた構成とされている。
【００１９】
空気取入れユニット１は、上記のＨＶＡＣユニットが車両のセンター位置に配置される場合、右ハンドル車ではＨＶＡＣユニットの左サイドの助手席側に配置され、左ハンドル車ではＨＶＡＣユニットの右サイドの助手席側に配置されるのが一般的である。空気取入れユニット１は、ユニットケース２を備えており、そのユニットケース２の上面側に斜めに傾斜した状態で、車室内側に開口される内気導入口３と、外気側に開口される外気導入口４とが設けられている。外気導入口４は、ダクトを介して車室外の外気取入れ口と接続されている。
【００２０】
ユニットケース２内には、内気導入口３および外気導入口４の一方を閉じ、他方を開とするように切替えられる内外気切替えダンパ（ダンパ）５が、回転軸６を介して回動自在に支持されている。なお、内外気切替えダンパ５は、内気導入口３と外気導入口４との中間位置に回動調整され、内気（車室内空気）および外気の双方を同時に取り入れ可能とすることを妨げるものではない。このユニットケース２の下部には、ブロアユニット（図示省略）が結合され、空気取入れユニット１の内気導入口３または外気導入口４から取入れられた内気または外気を、下流側のＨＶＡＣユニットへと送風可能とされている。
【００２１】
ユニットケース２のＨＶＡＣユニット側の側面には、マニュアル操作によりワイヤ（図示省略）を介して、あるいはオート制御によりアクチュエータ（図示省略）を介して回転され、内外気切替えダンパ５を回動して切替えるためのレバー７が、ユニットケース２に対して回転自在に嵌合支持されている。このレバー７は、図１の（Ａ）および（Ｂ）に示されるように、左ハンドル車仕様の場合と、右ハンドル車仕様の場合とで逆向きに装着されるようになっている。
【００２２】
図２（Ａ）、（Ｂ）には、レバー７を左右両側面から見た斜視図が示されている。
レバー７は、回転中心部の表裏両面に嵌合ボス部（嵌合部）８Ａ，８Ｂが設けられ、放射方向および周方向に複数の補強リブが設けられた樹脂材（例えば、ＰＢＴ、ＰＯＭ等）による板状の一体成形品とされており、外周部位に内外気切替えダンパ５を回動するためのカム溝９が設けられた構成とされている。また、レバー７には、カム溝９が設けられている部位に対して、嵌合ボス部８Ａ，８Ｂを挟んで反対側の部位に、マニュアル操作用のワイヤを接続するワイヤ接続ピン１０が設けられているとともに、嵌合ボス部８Ａ，８Ｂの外周部位に沿って、レバー７を駆動するアクチュエータ設置用の複数のボス部１２の１つを貫通させる円弧状の中抜き穴１１が設けられている。
【００２３】
上記レバー７は、左ハンドル車仕様の場合と、右ハンドル車仕様の場合とで共用化するため、図２（Ａ）、（Ｂ）に示されるように、表裏を逆にして装着可能とされており、内外気切替えダンパ５の回転軸６に結合されている接続レバー１３の先端に設けられているピンが摺動自在に係合するカム溝９は、底壁を有しない貫通カム溝９とされている。該レバー７は、嵌合ボス部８Ａ，８Ｂを介してユニットケース２の側面に設けられている嵌合支持部（支持部）１７Ａまたは１７Ｂの後述する嵌合穴部１８Ａ，１８Ｂおよび軸受ボス部１９Ａ，１９Ｂに対して、回転自在に嵌合、係止め支持される構成とされている。
【００２４】
つまり、レバー７側の嵌合ボス部（嵌合部）８Ａ，８Ｂには、図２および図３に示されるように、レバー駆動用のアクチュエータの出力軸が差し込まれる六角形状の軸結合穴部１４Ａ，１４Ｂと、その周囲に円周上等間隔で少なくとも３箇所以上に設けられ、嵌合支持部１７Ａ，１７Ｂ側の嵌合穴部１８Ａ，１８Ｂに嵌合、係止めされる弾性変形可能な複数の嵌合爪部１５Ａ，１５Ｂと、該嵌合爪部１５Ａ，１５Ｂの外周部位に外側に突出するように一体に設けられ、嵌合支持部１７Ａ，１７Ｂ側の軸受ボス部１９Ａ，１９Ｂに回転自在に嵌合される円筒状の嵌合軸部１６Ａ，１６Ｂが、表裏両面に一体に設けられた構成とされている。
【００２５】
このレバー７は、マニュアル操作仕様のエアコンの場合、ワイヤ接続ピン１０に接続されるワイヤの索引によって回転される構成とされ、その回転によって、カム溝９にピンが係合されている接続レバー１３を介して内外気切替えダンパ５の回転軸６が回動されることで、内外気切替えダンパ５が切替えるようになっている。一方、オート制御仕様のエアコンの場合、複数のボス部１２を介して設置されたアクチュエータの駆動軸を、レバー７に設けられている六角形状の軸結合穴部１４Ａ，１４Ｂに差し込むことによりアクチュエータを直結し、該アクチュエータでレバー７を回転することによって、接続レバー１３を介して回転軸６が回動され、内外気切替えダンパ５が切替えるようになっている。
【００２６】
一方、ユニットケース２は、ＰＰ等の樹脂材で成形されたものであり、そのＨＶＡＣユニット側の側面には、左ハンドル車仕様および右ハンドル車仕様に対応して、それぞれレバー７を回転自在に嵌合支持する嵌合支持部（支持部）１７Ａ，１７Ｂが外側に向けて突出されるように一体に成形されている。この嵌合支持部１７Ａ，１７Ｂが設けられているユニットケース２の側面部分は、部分的に二重壁構造とされており、その外壁２Ａ側に嵌合支持部１７Ａ，１７Ｂが設けられた構成とされている。
【００２７】
嵌合支持部（支持部）１７Ａ，１７Ｂには、図３に示されるように、レバー７側の嵌合ボス部８Ａ，８Ｂに設けられている軸結合穴部１４Ａ，１４Ｂおよび嵌合爪部１５Ａ，１５Ｂが嵌合、係止めされる外壁２Ａを貫通する嵌合穴部１８Ａ，１８Ｂと、その外周部位に設けられ、レバー７側の嵌合ボス部８Ａ，８Ｂに設けられている嵌合軸部１６Ａ，１６Ｂが回転自在に嵌合される円筒状の軸受ボス部１９Ａ，１９Ｂが、外壁２Ａに一体に成形された構成とされている。
【００２８】
ここで、左ハンドル車仕様の場合、図３（Ａ）に示されるように、ユニットケース２の嵌合支持部１７Ａに設けられている軸受ボス部１９Ａに対して、レバー７の嵌合ボス部８Ａ側に設けられている嵌合軸部１６Ａが回転自在に嵌合されるようになっており、嵌合軸部１６Ａの内径および軸受ボス部１９Ａの外径が、概ねＤ１とされ、軸受ボス部１９Ａの外径に対して、嵌合軸部１６Ａの内径が、０．１〜０．２ｍｍ程度の軸受隙間をもって嵌合される構成とされている。
【００２９】
一方、右ハンドル車仕様の場合、図３（Ｂ）に示されるように、ユニットケース２の嵌合支持部１７Ｂに設けられている軸受ボス部１９Ｂに対して、レバー７の嵌合ボス部８Ｂ側に設けられている嵌合軸部１６Ｂが回転自在に嵌合されるようになっており、嵌合軸部１６Ｂの外径および軸受ボス部１９Ｂの内径が、概ねＤ２とされ、軸受ボス部１９Ｂの内径に対して、嵌合軸部１６Ｂの外径が、０．１〜０．２ｍｍ程度の軸受隙間をもって嵌合される構成とされている。
【００３０】
このように、レバー７の嵌合ボス部８Ａ，８Ｂに設けられている嵌合軸部１６Ａ，１６Ｂの径は、それぞれユニットケース２に設けられている左ハンドル車仕様または右ハンドル車仕様の嵌合支持部１７Ａ，１７Ｂの軸受ボス部１９Ａ，１９Ｂの径に対応して設定されており、レバー７側に設けられている嵌合軸部１６Ａの径と嵌合軸部１６Ｂの径、およびユニットケース２側に設けられている嵌合支持部１７Ａ，１７Ｂの軸受ボス部１９Ａの径と軸受ボス部１９Ｂの径は、それぞれ互いに異なる径とされている。
【００３１】
以上の構成により、左ハンドル車仕様の場合、ユニットケース２側に設けられている軸受ボス部１９Ａに対して、レバー７側に設けられている嵌合軸部１６Ａは、嵌合可能であるが、嵌合軸部１６Ｂは、嵌合不能となる。また、右ハンドル車仕様の場合、ユニットケース２側に設けられている軸受ボス部１９Ｂに対して、レバー７側に設けられている嵌合軸部１６Ｂは、嵌合可能であるが、嵌合軸部１６Ａは、嵌合不能となる。その結果、共用化部品のレバー７が、表裏逆向きに組み付けられることによる誤組み立てを防止することが可能となる。
【００３２】
斯くして、本実施形態によれば、ユニットケース２内に内外気切替えダンパ（ダンパ）５が設けられ、この内外気切替えダンパ５がユニットケース２の側面に回転自在に嵌合支持されているレバー７を介して回動可能とされている車両用空調装置の空気取入れユニット１にあって、レバー７は、表裏を逆にして装着可能とされるとともに、その表裏の回転中心部に設けられ、ユニットケース２側に設けられている嵌合支持部１７Ａ，１７Ｂの軸受ボス部１９Ａ，１９Ｂに回転自在に嵌合される嵌合軸部１６Ａ，１６Ｂの径が、互いに異なる径とされている。
【００３３】
このため、表裏を逆にして装着可能なレバー７を右ハンドル車仕様のユニットケース２または左ハンドル車仕様のユニットケース２に対して、表裏を逆にして装着することにより、両仕様のエアコンに対してレバー７を共用化することができ、また、ユニットケース２に対するレバー７の組み立てに際して、表裏逆向きでの組み立てを、軸受ボス部１９Ａ，１９Ｂおよび嵌合軸部１６Ａ，１６Ｂの径の違いを利用して物理的に阻止することができる。
従って、右ハンドル車仕様または左ハンドル車仕様のエアコンにおいて、レバー７を共用化し、部品の種類および金型費を削減して生産効率の向上とコスト低減を図ることができると同時に、共用化されるレバー７の誤組み立てを確実に防止することができる。
【００３４】
また、本実施形態では、レバー７の表裏に設けられる嵌合軸部１６Ａ，１６Ｂの径が、それぞれ右ハンドル車仕様または左ハンドル車仕様のユニットケース２側に設けられている軸受ボス部１９Ａ，１９Ｂの径に対応して設定されている。このため、レバー７を表裏逆向きで組み立てようとしても、嵌合軸部１６Ａ，１６Ｂの径と軸受ボス部１９Ａ，１９Ｂの径とが合致しないことから、レバー７の表裏逆向きでの組み立てを阻止し、レバー７を正しく組み立てることができる。従って、レバー７を共用化しても、その誤組み立てを確実に防止することができる。
【００３５】
さらに、上記レバー７の表裏に設けられる嵌合軸部１６Ａ，１６Ｂの一方は、右ハンドル車仕様または左ハンドル車仕様の一方のユニットケース２に設けられている軸受ボス部１９Ａ，１９Ｂの内径側に対して嵌合可能とされ、嵌合軸部１６Ａ，１６Ｂの他方は、他方のユニットケース２に設けられている軸受ボス部１９Ａ，１９Ｂの外径側に対して嵌合可能な構成とされている。
【００３６】
このため、レバー７側の嵌合軸部１６Ａ，１６Ｂをユニットケース２側の軸受ボス部１９Ａ，１９Ｂに嵌合して組み立てる際、嵌合部分の径の違いだけでなく、嵌合状態の違いによっても、誤組み立てであることを認識することができ、これによって、いずれの仕様のユニットケース２であっても、レバー７を正常に組み立てることができる。
【００３７】
また、本実施形態では、レバー７に設けられ、内外気切替えダンパ５の回転軸６に結合されている接続レバー１３側のピンが係合するカム溝９が、底壁を有しない貫通カム溝とされている。このため、表裏を逆にして装着可能とされているレバー７を、表裏面のいずれを外側に向けて装着した場合においても、１つのカム溝９を共用化することができる。従って、レバー７に設けられるカム溝９の部分を薄くすることによって、その成形を容易化することができる。
【００３８】
なお、本発明は、上記実施形態にかかる発明に限定されるものではなく、その要旨を逸脱しない範囲において、適宜変形が可能である。例えば、上記実施形態では、レバー７の嵌合ボス部８Ａ，８Ｂ側に嵌合爪部１５Ａ，１５Ｂを設け、ユニットケース２側に設けられている嵌合支持部１７Ａ，１７Ｂに嵌合穴部１８Ａ，１８Ｂを設けた例について説明したが、逆に嵌合ボス部８Ａ，８Ｂ側に嵌合穴部を設け、ユニットケース２側に嵌合爪部を設けた構成としてもよい。
【００３９】
また、上記実施形態では、内外気切替えダンパ５を回動するためのレバー７を、右ハンドル車仕様または左ハンドル車仕様のエアコンにおいて共用化した場合の例について説明したが、ＨＶＡＣユニット等に設けられている他のダンパを、同様のレバーを用いて回動する場合において、当該レバーの支持部に同様に適用してもよいことはもちろんである。
【符号の説明】
【００４０】
１  空気取入れユニット
２  ユニットケース
５  内外気切替えダンパ（ダンパ）
６  回転軸
７  レバー
８Ａ，８Ｂ  嵌合ボス部（嵌合部）
９  カム溝
１３  接続レバー
１６Ａ，１６Ｂ  嵌合軸部
１７Ａ，１７Ｂ  嵌合支持部（支持部）
１９Ａ，１９Ｂ  軸受ボス部
【図１】
0005951295.tif 000002
【図２】
0005951295.tif 000003
【図３】
0005951295.tif 000004